(57)【要約】      （修正有）【課題】番組に関連したエキサイトデータに基づいて、テレビ又は他のメディア視聴経験を向上させるためのシステムを提供する。【解決手段】消費者メディアデバイスにおいてメディア番組の放送前のエキサイトレベルを示すエキサイトデータを受信し、放送前エキサイトレベルを所定の閾値と比較し、前記放送前エキサイトレベルが所定の閾値を超えていると判定したことに応じて、前期メディア番組を前記消費者メディアデバイスに記録するように構成する。【選択図】なし【特許請求の範囲】
【請求項１】
消費者メディアデバイスによって実行可能なプロセスであって、
前記消費者メディアデバイスにおいてエキサイトデータを受信することであって、前記エキサイトデータは、ビデオコンテンツを含むメディア番組の放送前エキサイトレベルを示し、前記放送前エキサイトレベルは客観的基準に基づく、ことと、
前記消費者メディアデバイスによって、自動的に、前記放送前エキサイトレベルを所定の閾値と比較することと、
前記放送前エキサイトレベルが前記所定の閾値を超えていると前記消費者メディアデバイスが判定したことに応じて、自動的に、前記メディア番組を前記消費者メディアデバイスに記録させるようにすることと、
を含むプロセス。
【請求項２】
前記放送前エキサイトレベルは、ソーシャルメディアデータ、前記メディア番組についてデジタルビデオレコーダタイマを設定している視聴者の数、視聴パターンの履歴、及び前記メディア番組の性質のうちの少なくとも１つに基づく、請求項１に記載のプロセス。
【請求項３】
前記放送前エキサイトレベルは、前記メディア番組が始まった後に適合される、請求項１又は２に記載のプロセス。
【請求項４】
前記自動的に選択することは、前記メディア番組が視聴者に興味深いものであるかどうかを判定する際にユーザ嗜好データを更に考慮する、請求項１乃至３のいずれか１項に記載のプロセス。
【請求項５】
前記消費者メディアデバイスによって電子番組ガイド画像を生成することを更に含み、前記電子番組ガイド画像は、複数のメディア番組のうちの１つにそれぞれが関連付けられた複数のセルを有し、前記セルのうちの少なくとも幾つかは、前記セルに関連付けられた前記メディア番組についての前記放送前エキサイトレベルを示すように提示される、請求項１乃至４のいずれか１項に記載のプロセス。
【請求項６】
前記複数のメディア番組の１つ以上について前記エキサイトデータが変化するにつれて、前記電子番組ガイド画像をリアルタイムで更新することを更に含む、請求項５に記載のプロセス。
【請求項７】
前記消費者メディアデバイスによって、前記メディア番組の継続期間に渡って前記メディア番組の前記エキサイトデータを表すタイムラインを生成することを更に含み、前記タイムラインは、前記タイムライン上の前記メディア番組の一部分であって、前記メディア番組の他の部分よりもっとエキサイティングな部分を、視聴者が特定できるように表示される、請求項１乃至６のいずれか１項に記載のプロセス。
【請求項８】
前記放送前エキサイトレベルは、前記ビデオコンテンツによって描写されるイベントがエキサイティングであると客観的に考えられ得るかどうかについての判定に基づく、請求項１乃至７のいずれか１項に記載のプロセス。
【請求項９】
前記ビデオコンテンツによって描写されるイベントがエキサイティングであると客観的に考えられ得るかどうかについての前記判定は、前記ビデオコンテンツによって描写されるスポーツイベントの重要性の判定を含む、請求項８に記載のプロセス。
【請求項１０】
前記放送前エキサイトレベルは、いずれか一人のユーザの嗜好には依存しない、請求項１乃至９のいずれか１項に記載のプロセス。
【請求項１１】
デジタルビデオコンテンツを処理するための消費者メディアデバイスであって、
デジタルビデオレコーダと、
メディア番組を受信するインタフェースと、
プロセッサと、
を備え、
前記プロセッサは、
前記消費者メディアデバイスにおいてエキサイトデータを受信することであって、前記エキサイトデータは、ビデオコンテンツを含むメディア番組の放送前エキサイトレベルを示し、前記放送前エキサイトレベルは客観的基準に基づく、ことと、
前記消費者メディアデバイスによって、前記放送前エキサイトレベルを所定の閾値と比較することと、
前記放送前エキサイトレベルが前記所定の閾値を超えていると前記消費者メディアデバイスが判定したことに応じて、前記消費者メディアデバイスで前記メディア番組を受信する前に、前記消費者メディアデバイスによって記録するための前記メディア番組を自動的に選択することと、
を実行するように構成されている、消費者メディアデバイス。
【請求項１２】
前記放送前エキサイトレベルは、ソーシャルメディアデータ、前記メディア番組についてデジタルビデオレコーダタイマを設定している視聴者の数、視聴パターンの履歴、及び前記メディア番組の性質のうちの少なくとも１つに基づく、請求項１１に記載のデバイス。
【請求項１３】
前記放送前エキサイトレベルは、前記メディア番組が始まった後に適合される、請求項１１又は１２に記載のデバイス。
【請求項１４】
前記自動的に選択することは、前記メディア番組が視聴者に興味深いものであるかどうかを判定する際にユーザ嗜好データを更に考慮する、請求項１１乃至１３のいずれか１項に記載のデバイス。
【請求項１５】
前記プロセッサは、前記消費者メディアデバイスによって電子番組ガイド画像を生成するように更に構成され、前記電子番組ガイド画像は、複数のメディア番組のうちの１つにそれぞれが関連付けられた複数のセルを有し、前記セルのうちの少なくとも幾つかは、前記セルに関連付けられた前記メディア番組についての前記放送前エキサイトレベルを示すように提示される、請求項１１乃至１４のいずれか１項に記載のデバイス。
【請求項１６】
前記プロセッサは、前記複数のメディア番組の１つ以上について前記エキサイトデータが変化するにつれて、前記電子番組ガイド画像をリアルタイムで更新するように更に構成されている、請求項１５に記載のデバイス。
【請求項１７】
前記プロセッサは、前記メディア番組の継続期間に渡って前記メディア番組の前記エキサイトデータを表すタイムラインを生成するように更に構成され、前記タイムラインは、前記タイムライン上の前記メディア番組の一部分であって、前記メディア番組の他の部分よりもっとエキサイティングな部分を、視聴者が特定できるように表示される、請求項１１乃至１６のいずれか１項に記載のデバイス。
【請求項１８】
前記放送前エキサイトレベルは、前記ビデオコンテンツによって描写されるイベントがエキサイティングであると客観的に考えられ得るかどうかについての判定に基づく、請求項１１乃至１７のいずれか１項に記載のデバイス。
【請求項１９】
前記ビデオコンテンツによって描写されるイベントがエキサイティングであると客観的に考えられ得るかどうかについての前記判定は、前記ビデオコンテンツによって描写されるスポーツイベントの重要性の判定を含む、請求項１８に記載のデバイス。
【請求項２０】
前記放送前エキサイトレベルは、いずれか一人のユーザの嗜好には依存しない、請求項１１乃至１９のいずれか１項に記載のデバイス。
【発明の詳細な説明】
【技術分野】
【０００１】
＜優先権主張＞
この出願は、２０１４年８月２９日出願の、米国仮出願第６２／０４４，１７８号に対して、優先権を主張する。
【０００２】
＜技術分野＞
以下の議論は、概して、デジタルビデオコンテンツの配信に関し、より具体的には、エキサイトデータに基づいてのデジタルビデオコンテンツの配信に関する。
【背景技術】
【０００３】
メディアストリーミングは、視聴者に、テレビ、映画、他のメディアコンテンツを配信する方法としてより一般的になってきている。メディアストリームは、典型的には、インターネット又は、同様なネットワークを介して送信されることができるデジタル化コンテンツのポイント・ツー・ポイント又はブロードキャスト送信である。メディアストリーミングは、しばしば、ビデオ・オン・デマンド（ＶＯＤ）サービス、ローカルストレージ及び／又はリモートストレージデジタルビデオレコーダ（ＬＳＤＶＲ 及び／もしくはＲＳＤＶＲ）サービス、インターネットプロトコルテレビ（ＩＰＴＶ）サービス、プレイスシフトメディア視聴及び／又は任意の数の他の便利なサービスを促進するために用いられる。多くの場合、ストリームが、プレーヤーに配信し続けられるとき、メディアストリームは、リアルタイムで、視聴者に再生される。他の実施形態においては、ビデオは、ビデオストリームのリアルタイム配信よりも高速にできるように、プレーヤーにおいて、サイドローディングされ、又は、キャッシュされる。
【０００４】
ある場合には、視聴者は、ある番組、又は、番組の種類もしくはジャンル（例えば、フットボールの試合などのスポーツの試合）に興味を持っているかもしれない。しかし、視聴者は、興味深い各番組の全体を見ることには興味がなく、また、多くの場合、視聴者は、興味深い番組を視聴するためのある位置にいるかもしれない。興味深いスポーツの試合又は他のコンテンツの量によっては、多くの視聴者は、複数の番組のハイライトを視聴すること、又は、利用可能な最も興味深いコンテンツを特定し、視聴することをより好むかもしれない。
【０００５】
現在、利用可能な最も興味深いコンテンツを特定することは相当な課題でありうる。複数のスポーツ放送が同時に発生する場合、例えば、異なる放送間を連続的に切り替えることなしに、任意の与えられた時刻において、どの放送が最も興味深いかを知ることは比較的困難でありうる。任意の数の異なる視聴者に対し、興味深い、映画、リアリティ番組、テレビドラマ、アクションショー、又は任意の他の番組を視聴させる間、同様な問題が、発生しうる。
【発明の概要】
【０００６】
以下の議論は、１以上のメディア番組の番組ハイライト又はエキサイト部分を記録する、システム、デバイス、及び、プロセスの様々な例示的実装に関する。本明細書で記述する概念は、デジタルビデオレコーダ、リモートストレージビデオレコーダ、ビデオ・オン・デマンドサービス、セットトップボックス、又は、他のテレビ受信機、プレイスシフトシステム、及び／又は、所望の場合には、任意の他のアプリケーションにおいて用いられることができる。
【０００７】
幾つかの実装は、ビデオコンテンツのストレージを管理するために、デジタルビデオレコーダ（”ＤＶＲ”）又は、同様なストレージシステムを提供する。ＤＶＲシステムは、ビデオコンテンツを受信するように構成されたインタフェース、内部部分と外部部分とを有する回転するディスク上へビデオコンテンツを格納するように構成されたディスクドライブ、及び、プロセッサを好適に備える。プロセッサは、インタフェースを介してのビデオコンテンツの受信を制御し、ディスクドライブへの受信ビデオコンテンツの格納を管理するように構成される。様々な実装において、「エキサイトデータ」などのデータベースから検索されたデータは、現在放送されている最もエキサイトな番組又は、特定の放送のうちの最もエキサイトな部分を特定するために用いられうる。プロセッサは、特にエキサイトな、又は、視聴者に特に関心がある１以上の番組の一部のみを選択し、記録するために、このエキサイトデータを用いても良い。
【０００８】
他の実施形態は、エキサイトデータを受信し、処理することを好適に含む、コンピュータ実装されたプロセスを提供する。このプロセスの様々な実施形態は、エキサイトデータに基づいて、１以上の番組、及び／又は、１以上の番組の１以上の部分を表示することを更に含む。このプロセスは、エキサイトデータに基づいて、番組に関連したデジタルメディアコンテンツのエキサイト部分全体を表示することを更に含んでも良い。様々な実施形態においては、プロセスは、エキサイトタイムラインを表示することを更に含みうる。
【０００９】
他の実施形態は、セットトップボックス、テレビ受信機、デジタルビデオレコーダ、プレイスシフトデバイス、又は、他の消費者メディアデバイスによって実行可能なプロセスを提供する。このプロセスは、消費者メディアデバイスにおいて、ビデオコンテンツを含むメディア番組を受信することと；    消費者メディアデバイスにおいて、エキサイトデータを受信することであって、エキサイトデータは、ビデオコンテンツの当時のエキサイトのレベルを示す、ことと；エキサイトデータに基づいて、ビデオコンテンツが、視聴者に興味深いものか否かを判定することと、ビデオコンテンツが、視聴者に興味深いものである場合、消費者メディアデバイスによって、視聴者に提示するためのビデオコンテンツを選択し、他の場合には、視聴者への提示のためのビデオコンテンツを選択しないことと、を好適には含む。
【００１０】
このプロセスは、メディア番組の全体を提供するために、又は、メディア番組の一部のみを提供するために、視聴者からの選択を受信することを更に含み、メディア番組の選択された一部は、当時のエキサイトデータが、閾値より大きい間、メディア番組の当該部分のみを含む。
【００１１】
このプロセスは、番組の完全なエキサイト部分（エキサイト部分の全部）を視聴するという選択肢を視聴者が選択しないことに応答して、完全な番組（番組の全部）を消去することを追加的、又は、代替的に含む。
【００１２】
前述のプロセスのうちの任意のプロセスは、当時のエキサイトデータが、閾値より大きい間、メディア番組の当該一部のみを含むハイライトリールを組み立てることを含むことの選択を改変してもよい。
【００１３】
このプロセスは、視聴者による、後続の視聴のために、デジタルビデオレコーダ内にハイライトリールを格納することを更に含むことができる。
【００１４】
このプロセスは、視聴者によって、メディアプレーヤー上で、ハイライトリールが視聴されるように、メディアプレーヤーにハイライトリールのメディアストリームを提供することを更に含んでも良い。
【００１５】
上記プロセスのうちの任意のプロセスは、メディア番組が、視聴者に興味深いものか否かを判定するために、ユーザ嗜好データを更に考慮しても良い。
【００１６】
上記プロセスは、複数の番組の当時のエキサイトデータを更に比較し、これにより、特定の時点における複数の番組のうちで最もエキサイトな一つを特定しても良い。
【００１７】
上記プロセスは、メディア番組が、エキサイトデータに基づいて予測されたタイムスロットを超えて継続するか否かを更に判定しても良い。
【００１８】
上記プロセスは、エキサイトデータが、予測タイムスロットが終了した後も、所定の閾値より大きく残っているか否か判定することを更に考慮しても良い。
【００１９】
上記プロセスは、消費者メディアデバイスによって電子番組ガイド画像を更に生成しても良く、電子番組ガイド画像は、複数のメディア番組の一つにそれぞれが関連付けられた複数のセルを有し、セルの少なくとも幾つかは、セルに関連付けられたメディア番組に対する当時のエキサイトデータを示すように提示される。
【００２０】
更に、プロセスは、複数のメディア番組の１以上についてエキサイトデータが変化するに従い、リアルタイムで、電子番組ガイド画像を更新することを含んでも良い。
【００２１】
上記実施形態は、消費者メディアデバイスによって、メディア番組の期間にわたって、メディア番組のエキサイトデータを表すタイムラインを生成することを更に含んでも良く、タイムラインは、視聴者が、メディア番組の他の部分よりもよりエキサイトなタイムライン上のメディア番組の部分を特定できるように表示される。
【００２２】
他の実施形態は、セットトップボックス、テレビ受信機、及び／又は、デジタルビデオコンテンツを処理するための他の消費者メディアデバイスを提供する。そのようなデバイスは、デジタルビデオレコーダ；メディア番組を受信するためのインタフェース；インタフェースに、消費者メディアデバイスにおいてビデオコンテンツを含むメディア番組を受信させ；消費者メディアデバイスにおいてエキサイトデータを受信させ、エキサイトデータは、ビデオコンテンツのエキサイトの当時のレベルを示し；エキサイトデータに基づいて、ビデオコンテンツが視聴者に興味深いものか否かを判定させ；  ビデオコンテンツが視聴者に興味深いものである場合、消費者メディアデバイスによって視聴者に提示するために、ビデオコンテンツを選択させ、その他の場合、視聴者への提示のためにビデオコンテンツを選択させない、ように構成されたプロセッサ；を好適には備える。
【００２３】
デバイスは、当時のエキサイトデータが、閾値より大きい間、受信されたメディア番組の当該部分のみを含む、受信された番組のハイライトリールを組み立て、及び／又は、上記したプロセスのうちの任意のプロセルを実装するように更に構成されても良い。
【００２４】
更に他の実施形態は、デジタルメディアコンテンツ視聴者に利用可能な記録及び再生オプションを改善するために、エキサイトデータを利用する、他のプロセス、システム、及び、デバイスを提供する。この概要に提示した例は、任意の方法で、改変され、組み合わされ、及び／又は、拡張されても良く、多くの更なる例が以下に記述される。
【図面の簡単な説明】
【００２５】
以下の図面と共に、例示的実施形態が、以下に記述され、図面においては、同様な参照番号は、同様な要素を示すだろう。
【図１】様々な実施形態による、エキサイトデータに基づいて、完全なデジタルビデオコンテンツを配信するためのシステムを示す。
【図２】様々な実施形態による、エキサイトデータに基づいて、完全なデジタルビデオコンテンツを配信するためのプロセスを示す。
【図３】様々な実施形態による、エキサイトデータに関連した視覚表示を含む、番組タイムラインを示す。
【発明を実施するための形態】
【００２６】
本発明の以下の詳細な記述は、その性質上、単なる例示であり、本発明や、本発明の応用及び使用を制限する意図はない。更に、前述の背景、又は、以下の詳細な記述において提示されるいかなる理論にも拘束されるという意図はない。
【００２７】
様々な実施形態は、改善されたメディア視聴経験を提供するために、エキサイトデータを使用する。エキサイトデータは、番組が放送されるに従い、リアルタイムで最もエキサイティングな番組を特定するために用いられることができる。更なる実施形態は、後続の視聴のために、「ハイライトリール」を生成するために、タイムスタンプ又は同様のタイミングデータと共に、リアルタイムエキサイトデータを、追加的または代替的に格納することができる。他の有用な利点及び特徴は、任意の数の別の実施形態において提供されることができるだろう。
【００２８】
ここに用いられるように、語句「エキサイトデータ」は、番組及び／又は、番組の一部（スポーツの試合の放送や、任意の他のメディア番組など）が、エキサイティングである、又は、そうでない場合、視聴者が興味深い、又は、潜在的に興味深いだろうことを示す任意のデータのことを指すことができる。視聴者は、１以上の視聴者嗜好に基づいて、１以上の予め規定されたパラメータに基づいて、主観的もしくは客観的基準、及び／又は、必要に応じて、他の要因に基づいて、番組及び／又は番組の一部を、エキサイティングであると見出すことがある。番組及び／又は、番組の一部は、追加的または代替的に、視聴者入力の集積に基づいて、エキサイティングでありうる。例えば、視聴者は、ある時間に渡り、視聴者が視聴するに従い、特定の番組、又は、番組ジャンル、１以上の品質を番組イベントに属性付けることができる。より具体的には、視聴者は、様々な実施形態において、タグ（例えば、「面白い」、「悲しい」、「サスペンスだ」など）を特定の番組イベントに属性付けることができる。システムは、複数のイベントタグを解析し、特定の番組イベントに対する視聴者の反応を予測することができる。
【００２９】
更に他の番組、又は、番組の一部は、客観及び／又は主観基準に基づいて、エキサイトの当時のレベルによってランク付けされることができる。様々な実施形態において、番組は、リアルタイムで（又は、近リアルタイムで）モニタされることができ、それらの、エキサイトの当時のレベルは、任意の方法で、数値的に表現されることができる。番組のエキサイトの当時のレベルは、例えば、０−１０、１−１０、０−１００、又は、１−１００の間の数を割り当てられることができる。等価な実施形態は、所望の場合、任意の他の数値的表現、英数字的表現、色ベースの表現、記号の表現、又は、他の表現を用いることができる。エキサイトのレベルは、主観的人間観察、客観的要因（例えば、ゴールラインに対する距離、サード／フォースダウン、接戦のスコア、クオータ／ハーフ／試合の終わり近く、又は、所望の場合には、他の要因)に基づいて、割り当てられることができる。したがって、例えば、番組及び／又は、番組の一部は、特定のスポーツ（例えば、フットボール）及び／又は、番組中に起こるだろう特定のイベント（例えば、タッチダウンもしくは他のゴール）に対するユーザの嗜好に基づいて、エキサイティングであることができる。更なる実施形態は、特定の番組の多かれ少なかれエキサイティングな部分を反映するために、番組の継続時間に渡って、エキサイトのレベルを調整することができる。例えば、スポーツイベントは、スコアが近い時間の間、又は、チームが得点しそうなとき、又は、重要な守備的状況（ｄｅｆｅｎｓｉｖｅ  ｓｔａｎｄｓ）の間、及び／又は、必要に応じて任意の他の時間、よりエキサイティングであろう。他の番組は、ドラマチックな緊張が走る間、バトル又はアクションシーンの間、有名人が現れる間、音楽のナンバーの間、又は、客観的もしくは主観的にエキサイティングであると考えられる任意の他の時間の間、最もエキサイティングであるだろう。
【００３０】
様々なメディア監視サービスが存在する。これらのサービスの多くは、多くの場合、モニタされた番組のそれぞれについて、上記したような、エキサイトデータを提供するために、１以上の現在放送されている番組を同時にモニタする。エキサイトデータは、スポーツ番組の場合、ゴール、又は、ゲームスコアの変化などの１以上の予め規定されたパラメータに基づいて、生成されることができる。同様に、本明細書で述べるように、メディア監視サービスは、例えば、ユーザプロファイルに基づいた特定の視聴者に固有のエキサイトデータ、及び／又は、いかなる特定の視聴者にも関連しない、集合エキサイトデータを提供することができる。ユーザプロファイルは、例示として、特定のスポーツ及び／又は特定のチーム又は複数のチームに対する嗜好を含むことができる。現在放送中のスポーツ番組についてのエキサイトレーティングを提供する一つのサービスは、カリフォルニア州、パロアルトのＴｈｕｕｚ  Ｓｐｏｒｔｓから手に入れることができるＴＨＵＵＺサービスであるが、他の実施形態は、ユーザのセットトップボックス又は他の家庭用装置によって生成されるデータを含む、任意のソースからのエキサイトデータを用いることができるだろう。
【００３１】
幾つかの実施形態においては、エキサイトデータは、例えば、ソーシャルメディアトレンディングデータ、メディアレーティングサービスによって提供されるようなメディアレーティング、及び／又は、複数のメディアリビュアー情報、及び／又は、番組についてのエキサイトデータを評価するのに用いられることができるような任意の他の外部取得データなどの、任意の様々な他の外部ソース（メディア監視サービスによって提供されるようなものの外部、及び／又は、それを含む）に基づいて、追加的、及び／又は、代替的に、生成され、又は、変更されることができる。概略すると、映画又はフィルムなどの番組は、１以上のリビュアーレーティング、トレンディングデータ、ボックスオフィスデータ、又はセール、リビュアー又は視聴者レーティングなどに関連付けされることができる。これらのデータソースは、様々な実施形態において、集積され、番組に対するエキサイトレーティングを生成することができる。ここで、再び、エキサイトデータは、視聴者のプロファイル及び／又は、任意の様々な予め規定されたパラメータに基づいて、視聴者に提供されることができ、又は、このデータは、番組の他の部分に対する、もしくは、所望の場合、他の番組に対するエキサイトの当時のレベルを単に示すことができる。
【００３２】
様々な実施形態においては、番組は、ソーシャルメディアデータ（例えば、マーケティングの量、及び／もしくは、メディア、ソーシャルメディア及び／もしくは他の番組関する「うわさ」の量）に基づいて、ＤＶＲタイマを設定した視聴者の数に基づいて、視聴パターンの履歴に基づいて、及び／又は、番組の性質に基づいて、放送前エキサイトレベルを有することができる。例えば、カンファレンス、又は、ディビジョナルチャンピオンシップは、チャンピオンシップが示されない試合よりもより高い試合前エキサイトレベルを有することが出来、人気のチーム（又は、地元のチーム）は、他のチームよりより高いエキサイトレベルを有することができる。これらの放送前の初期エキサイトメントのレベルは、その後、必要に応じて、より大きい、又は、より小さいエキサイトの期間を反映するために、試合が進むにつれてリアルタイムに（又は、近リアルタイムに）適合されることができる。再び、エキサイトデータは、第三者サービスから受信することができ、任意の適切な方法で生成されることができる。
【００３３】
したがって、視聴者は、エキサイトのレベルに基づいて、視聴したい番組を選択したいかもしれない。追加的または代替的に、視聴者は、特定の番組又は、複数の番組の最もエキサイティングな／興味深い部分を特定するためにエキサイトデータを使用したいかもしれない。
【００３４】
多くの場合、視聴者は、用事があったり、その他の場合、放送される興味深い番組を視聴できないかもしれない。更に、視聴者が、エキサイティングな番組及び／又は、番組のエキサイティングな部分を視聴することに興味がある場合、番組がエキサイティングになったことを示すエキサイトデータの受信に応答して、番組のエキサイティングな部分（又は、エキサイティングな部分の開始から、その番組）を記録開始するには遅すぎる場合が典型的である。
【００３５】
したがって、幾つかの実施形態は、エキサイトデータを用いてデジタルビデオコンテンツを配信するための任意の数のシステム又は技術を提供することができるだろう。幾つかの例がここに記述される。
【００３６】
一例においては、番組のエキサイトのレベルのリアルタイムの兆候は、スポーツイベント又は他のテレビ放送の最も興味深い瞬間などの特定の番組の「最もエキサイティングな」部分を知るために用いられることができる。この情報は、セットトップボックス、ビデオストリーミングデバイス、プレイスシフトデバイス、ネットワークサービス、又は他のコンピューティングシステムが、２以上の同時に放送されている番組の相対的エキサイトを測ることを可能とする。ＤＶＲに記録された番組と共に、この情報を格納することは、後続の視聴者に、記録されたコンテンツの最もエキサイティングな部分に自動的に「ジャンプ」することを可能とするだろう。更に、エキサイトデータは、番組に対する全体のエキサイトレーティングを決定するために、番組中更に平均化され、又は、そうでない場合、処理されることができるだろう；この放送後全体レーティングは、ストリーミングに利用可能な、又は、そうでない場合、どの番組を視聴するかを視聴者が選択するのを支援するために視聴者に利用可能な、ＤＶＲ上に格納された他の番組の放送後レーティングと比較されることができるだろう。
【００３７】
他の例においては、エキサイトデータは、番組の最も興味のわく部分のみが保持されるように、番組の記録、又は、ストリーミングの間、タイムスタンプデータ又は他のタイミング情報と再度関連付けられる。つまり、（ディスクスペースを節約するために）閾値レベルより大きい放送の部分のみ格納され、及び／又は、ライブストリームの一部として提供されることができる。後者の場合、視聴者のメディアストリーミングソースは、ストリーミングの当時のレベルに基づいて、ストリーミング用に利用可能な選択肢から番組を選択するだろう。これは、現在利用可能な最もエキサイティングなコンテンツを常に含む一つのライブストリームを視聴者が観ることを可能とするだろう。更なる実施形態においては、このハイライトリールコンセプトは、ライブストリーミングを超えて拡張されることができ、後に視聴するために、ＤＶＲなどに格納されたコンテンツが、様々な番組の最もエキサイティングな部分のみを保持するように、又は、ＤＶＲに格納された番組の最もエキサイティングな部分が、容易に特定され、ハイライトリールにコンパイルされ、又は、便利な視聴のために単に利用可能とされるようにすることができる。様々なシステムは、各番組の開始から、（例えば、視聴者のプロファイル及び／又は、番組を記録すべきという視聴者の明示的な命令に基づいて）視聴者に興味深いだろう幾つかの番組の全て又は一部を記録することができるだろう。エキサイトデータの受信に応答して、システムは、興味深い、及び／又は、潜在的に興味深い番組がエキサイティングになったと視聴者に通知することができる。視聴者は、それに応じて、エキサイティングな部分及び／又は全体の番組を視聴することを選択することができる。視聴者が視聴のために選択しない番組は、バックグラウンドプロセスの一部として消去されることができ、視聴者は、それらの記録及び後の消去によって邪魔されない。他の実施形態は、他の特徴を実装し、及び／又は、任意の他の方法で動作することができるだろう。
【００３８】
更に他の例においては、複数の番組に関連するエキサイトデータは、「ヒートマップ」又は、電子番組ガイド（ＥＰＧ）の同様なインタフェース内に表示されることができるだろう。様々な実装において、個々の番組放送を提示するセルは、当時のエキサイトデータに基づいて、色づけされ、影付けされ、又は、改変されることができる。このデータは、放送の間、リアルタイムで更新されることができ、視聴者は、エキサイティングな番組を容易に特定し、番組ガイド内で同時に提示されるかもしれない複数の番組間を区別することができるようにするだろう。この表示は、手入力された、及び／又は、自動的に決定された視聴者の嗜好に基づいて、更に改変されることができるだろう。例えば、野球ファンは、野球の試合がハイライトされたものを観るだろうし、バスケットボールファンは、エキサイトデータでハイライトされたバスケットボールの試合を見る。これは、ユーザに最も興味深い番組が、他の番組から突出し、及び／又は、よりエキサイティングな番組が容易に区別されることを可能とするだろう。再び、データは、番組がより興味深くなるにつれ（例えば、得点チャンス、試合、アクションシーケンス、音楽ナンバーなどに含まれる興味深いプレーヤー）、リアルタイムに更新されることができ、視聴者は、ライブ放送に示されるエキサイトの現在のレベルを知る。
【００３９】
更に他の例においては、エキサイトデータは、スポーツイベント、授賞式又は他の放送が予想時間を越えて延長したときを判定するために用いられることができる。電子番組ガイドは、典型的には、番組が通常のタイムスロットを越えて延長されるときを示さないので、ＥＰＧデータに基づいて、番組を記録しようとする視聴者は、番組の終わり部分が途切れるかもしれないとわかるだろう。つまり、野球が、延長戦、追加のイニングなどに入る場合、記録デバイスは、典型的には、番組が予測されたタイムスロットを超えて延長されたことを知らない。エキサイトデータは、そのような場合に、記録を延長するために用いられることができる。単純な例を挙げると、記録システムは、番組記録の終わりが近づいているときを特定することが出来、その時間前に、番組に対するリアルタイムエキサイトデータをモニタすることができるだろう。エキサイトデータが、前に割り当てられた時間の終わりに向かって増加する（又は、少なくとも減少しない）場合、エキサイトレベルが減少するような時間、従って、試合終了を示すまで、記録を延長することができる。様々な実施形態は、エキサイトレベルが、タイムフレームについて（例えば、２−１０分など）低いままであることを、更に確認することができ、ＣＭ、タイム、又は、他の要因が、試合終了の偽陽性の指示を生成しないようにすることができる。
【００４０】
追加の例は、視聴者の嗜好などに基づいて、自動的に記録を設定するために、予測エキサイトデータを用いることができるだろう。視聴者が、野球ファンであると（又は、特定のチームのファンであると）手動で、又は、自動で特定される場合には、例えば、番組ガイドデータは、視聴者が興味深いだろう番組を特定するために、毎日、毎週、毎時、又は、他の周期でチェックされることができるだろう。任意の特定された番組についての、放送前予測エキサイトデータがチェックされることができ、予測エキサイトデータが閾値を超える場合、番組は、視聴者に代わって、記録のために、自動的に選択されることができるだろう。視聴者が、例えば、重要な試合のために記録タイマを設定し忘れる場合、この例は、視聴者が試合を見損なわないように、記録タイマを自動的に設定するだろう。同様なコンセプトが、映画、リアリティショー、毎日のもしくは毎週のテレビシリーズ、授賞式、及び／又は、必要に応じて、任意の他の番組に適用されることができるだろう。
【００４１】
様々な実施形態が、このようにして、視聴者が興味のありそうな完全な番組又は番組の一部を特定するためにエキサイトデータを用いる。そのような機能は、視聴者の家、オフィス、又は他の建物内に配置されるセットトップボックス（ＳＴＢ）又は他のテレビ受信機などの任意の種類のコンピューティングマシン内で実装されることができる。他の実施形態は、メディアプレーヤー（汎用コンピュータシステム上で実行されるメディアプレーヤーアプリケーションを含む）、プレイスシフトデバイス、ネットワークもしくは「クラウド」サーバ、又は、必要に応じて、任意の他のコンピューティングハードウェアシステム内で、部分的に、又は、全体的に実装されることができる。
【００４２】
ここで、図面に転じると、図１は、エキサイトデータに基づいて、完全なデジタルビデオ又は番組コンテンツを配信するためのシステム１００の例を示す。システム１００は、ＤＶＲ１０２、エキサイトデータデータベース１０４、１以上のサーバ又はガイドサーバ１０６、ネットワーク１０８、及び／又はメディアクライアント１１０を含むことができる。
【００４３】
ＤＶＲ１０２は、上記されたように、デジタルビデオコンテンツを記録できる任意のシステムを備えることができる。ＤＶＲ１０２は、ＳＴＢもしくは他のテレビ受信機内に実装されることができ、又は、任意の種類のスタンドアロンデバイスもしくはネットワークサービスとすることができる。ＤＶＲ１０２は、必要に応じて、１以上のプロセッサ、メモリ、ストレージ、入出力インタフェースなどを含む、消費者電子デバイス及び／又はネットワークサービスに見られる従来のコンピューティングハードウェアを典型的には含むだろう。そのため、ＤＶＲ１０２は、ネットワーク接続、コンピュータ可読非一時的格納媒体（例えば、固体メモリ、回転ハードドライブなど）、プロセッサ、及び／又は、デジタルビデオコンテンツの記録のための任意の他のハードウェア及び／又はソフトウェアを含むことができる。再び、システム１０２は、また、地上波、衛星、ケーブル、ネットワークストリーム、及び／又は、任意のソースから受信されるような、任意のフォーマットの他のメディアコンテンツを受信し、復号化するためのハードウェア及び／又はソフトウェア機能を含むことができる。
【００４４】
エキサイトデータデータベース１０４は、上記したように、エキサイトデータを格納する、又は、これを格納するように構成された任意のコンピュータ可読非一時的格納媒体を備えることができる。エキサイトデータは、上記したように、様々なデータソースから発行されることができる（例えば、メディア監視サービス、トレンディングデータ、スポーツの試合の場合のゴール又は得点などの特定の番組に固有なデータ、メディアレーティングサービスから提供されるようなメディアレーティング、及び／又は複数のメディアリビュアー情報、及び／又は、番組についてのエキサイトデータを評価するために用いられることができる任意の他の外部取得データなどの様々なソーシャルネットワーキングデータのうちの任意のもの）。データベース１０４は、番組コンテンツ、ＥＰＧデータ、エキサイトデータ及び／又は、所望の場合、格納されたコンテンツと関連した任意の他のデータを含む一般的なストレージとすることができる。
【００４５】
様々な実施形態において、番組が放送された後であっても、エキサイトデータのレベルが、大変興味深い、又は、あまり興味深くはない格納された番組の部分を特定するために用いられることが依然できるように、データベース１０４からのエキサイトデータは、タイムスタンプ又は同様な時間データと相関付けられることができる。エキサイトデータとタイムスタンプデータとの相関は、エキサイトデータベース１０４内、サーバ１０６内、又は、所望の場合、個別のサービス内で発生しうる。このエキサイトデータの履歴は、番組の最も興味深い部分を抽出する、及び／又は、視聴者に最も興味深い番組を特定するために、その後用いられうる。
【００４６】
このため、１以上のサーバ１０６は、エキサイトデータデータベース１０６に通信可能なように結合され、任意の方法で、エキサイトデータを処理するように構成されることができる。幾つかの実施形態においては、エキサイトデータは、プレイスシフト又はリモートアクセスアプリケーションの一部として、視聴者に提示するため、電子番組ガイド（ＥＰＧ）表示１５０などに組み込まれる。他の実施形態においては、エキサイトデータは、１以上のユーザプロファイル及び／又は、１以上の予め規定されたパラメータとエキサイトデータを比較することによって選択される、ユーザへの番組の配信に用いられることができる。（複数の）サーバ１０６は、典型的には、任意の複数のコンピュータ可読非一時的格納媒体（ディスクドライブ、固体メモリ、又は、所望の場合、他のストレージなど）、１以上のプロセッサ、及び／又は、入出力デバイスへのインタフェース、ネットワーク１０８へのインタフェースなどの任意の適切なインタフェースを備えうる従来のネットワークサーバハードウェアによって実装される。サーバ１０６は、所望の場合、クラウドベースのコンピューティングサービスを用いて、同等に実装されることができる。
【００４７】
図１に示されたネットワーク１０８は、インターネット、ローカルエリアネットワーク、ワイドエリアネットワーク、電話ネットワークなどの任意の従来のコンピュータネットワークを適切には備える。（複数の）サーバ１０６は、ネットワークインタフェースカード又は、必要に応じて、他のインタフェースを介して、ネットワーク１０８と通信可能なように結合されることができる。
【００４８】
１以上のメディアクライアント１１０は、デジタルメディアコンテンツを受信するように構成され、及び／又は、受信可能な任意のデバイスを備えることができる。したがって、例えば、メディアクライアント１１０は、テレビ、パーソナルコンピュータ、スマートフォン、タブレットコンピューティングデバイス、ビデオゲームプレーヤー、パーソナル
デジタルアシスタント、及び／又は、所望の場合、任意の他の同様なデバイスなどの任意のコンピューティングデバイスを備えることができる。メディアクライアント１１０は、ネットワーク１０８に通信可能なように結合されることが出来、本明細書に記述したように、（複数の）サーバ１０６によって処理されるエキサイトデータに応答して、通知を受信することができる。メディアクライアント１１０は、ネットワーク１０８を介して、及び、デジタルメディアコンテンツの視聴者によるリクエストに応答して、ＤＶＲ１０２に格納されるデジタルビデオコンテンツを更に受信することができる。
【００４９】
図１に示されるアーキテクチャは、データベース１０４から取得されるエキサイトデータを用いる幾つかの異なる実施形態を実装するために用いられることができるだろう。幾つかの実施形態においては、ＤＶＲ１０２は、１以上の番組の最も興味深い部分の「ハイライトリール」を生成し、格納するようにプログラムされる。このため、ＤＶＲは、興味深い番組コンテンツを受信するとき、データベース１０４から、サーバ１０６から、又は、任意の他のソースからエキサイトデータを受信する。受信された番組は、エキサイトデータによって決定されるように、当時の興味のレベルに基づいて、ＤＶＲによって記録されてもよいし、又は、記憶されなくてもよい。ＤＶＲ１０２は、例えば、エキサイトのレベルが、閾値レベルを超える、受信された番組のその部分のみを記録することができるだろう。この閾値に用いられる特定の値は、視聴者によって、管理者もしくはプログラマによって、又は、所望の場合、任意の他のソースによって、設定されうる。ＤＶＲは、例えば、最高のエキサイトである、コンテンツのみを記録するようにプログラムされることができるだろう。
【００５０】
このコンセプトは、多くの方法で、拡張されうる。ＤＶＲ１０２は、例えば、ユーザからの入力の表現なしに、複数の番組の最もエキサイティングな部分を自動的に一体化する「ハイライトリール」を生成するために、複数のテレビチューナ又はネットワークストリームと協働することができるだろう。ユーザのセットトップボックスが、例えば、２以上の野球の試合を同時に受信していた場合、ＳＴＢに関連したＤＶＲ又はＲＳＤＶＲは、最も高いエキサイトのレベルを有し、したがって、最も興味深いと考えられるその試合の部分のみを自動的に記録できるだろう。
【００５１】
この「ハイライトリール」は、特定のユーザに関連したハードウェア（例えば、特定のユーザに関連した家庭用ＤＶＲ又はＲＳＤＶＲ）を用いて生成されるので、ユーザが興味のある特定の番組の最も興味深い部分のみを組み込む、カスタム化された記録を生成することができるだろう。これらの番組は、ユーザによって手動で選択され、又は、本明細書で記述したように、嗜好情報及び／又は人口統計学的情報を用いて自動的に選択されうる。図１のＤＶＲ１０２は、しばしば、家庭用型デバイスとして記述されるが、同等なコンセプトは、所望の場合、ネットワークサーバ１０６又は、他のサービス上で実装されるリモートストレージＤＶＲ内に容易に実装されることができるだろうことに注意されたい。エキサイトデータは、制限されたリソースの最大限に利用するために用いられることができるだろう（例えば、単一のチューナは、よりエキサイティングな番組を常に捕捉するために、２以上の異なる番組間で切り替えられることができるだろう）。あるいは、複数のチューナ又は他のリソースは、すべての受信された番組の最もエキサイティングな部分を含むハイライトリールと共に、複数の番組を同時に受信し、復号化するために用いられることができるだろう。この後者の場合、両方の番組が、同時に、相対的にエキサイティングなイベントを放送する場合、両者が受信され、ハイライトリール内に含まれることができるだろう。
【００５２】
他の実施形態においては、ＤＶＲ１０２（又は、等価なＲＳＤＶＲ）は、番組が記録されている間（又は、番組が記録された後）、番組に関連したエキサイトデータを格納することができるだろう。エキサイトデータが、タイムスタンプ又は同様な兆候を介して、記録された番組を参照する場合、ユーザは、記録された番組の再生中、最も興味深い部分へ自動で、又は、手動で、スキップすることができうる。例示的実装においては、ユーザは、リモートコントロール又は他のインタフェースを用いて、「次のエキサイティングな部分へスキップ」フィーチャを選択するかもしれない。この命令は、エキサイトデータが、適切な閾値を超える、記録された番組の次の部分をＤＶＲに捜索させるだろう。前述の実施形態におけるように、閾値は、ユーザ又は他の人間によって手動で構成され得、又は、閾値は、任意のプロセス（例えば、試行錯誤、ユーザの振る舞い、又は、集積されたユーザデータなどに基づいた自動調整）によって選択され、設定されうる。番組の関連部分に対してエキサイトデータを参照するタイムスタンプデータと共に、記録された番組についてのエキサイトデータを格納することによって、番組の「最良」の部分は、容易に、且つ、自動的に、ＤＶＲによってアクセスされることができ、ユーザ経験の改善につながる。等価な実施形態においては、エキサイトデータは、ライブ放送の間、ＤＶＲ１０２に格納される必要はなく、むしろ、必要に応じて、サーバ１０６などから検索されえる。エキサイトデータによって生成されるハイライトリールは、後続の視聴のためにＤＶＲに格納されることができ、及び／又は、プレイスシフトされえ、又は、他の場合、所望の場合、直ぐ視聴するために、リモートデバイス１１０にストリームされえる。
【００５３】
更に他の実施形態は、同時に複数の番組からエキサイトデータを検索することができ、その瞬間に、最も興味深い番組を、ユーザが便利に選択し、視聴することができるようにする、ＥＰＧ又は他のアプリケーションへのユーザインタフェース１５０を形成することができるだろう。ＥＰＧ表示１５０が、例えば、複数のフットボールの試合を示している場合、異なる試合のエントリは、それらの当時のエキサイトのレベルを示すために、影付けされることができ、それによって、ユーザが、直ぐに視聴するために、よりエキサイティングな試合を容易に選択可能とするだろう。ある試合が重要な場面が近づいている（とてもエキサイティングである）が、他の試合は、例えば、ＣＭ中である場合、最もエキサイティングな試合のＥＰＧエントリは、そのエントリに視聴者の注意を引くために、ＥＰＧグリッド内で、より明るく、又は、より鮮やかに色づけされることができるだろう。等価な実施形態は、所望の場合、よりエキサイティングなコンテンツに視聴者の注意を引くために、異なる印字、異なるサイズの印字、異なるグリッドサイズ、点滅するテキストもしくはグリッド線、又は任意の他のインタフェース要素を用いることができるだろう。
【００５４】
図１に示される例においては、番組がチャンネル及び放送時間に従って組織化される、従来のＥＰＧグリッド１５４をインタフェース１５０が含むことが示される。例示的インタフェース１５０は、また、ライブ放送を示すセパレートウィンドウ１５２と、所望の場合、広告又は他の通知を含むことができる告示ウィンドウ１５６を含む。様々な実施形態においては、１５６に示される告示は、任意の方法で、エキサイトデータに関連付けられることができるだろう。告示は、例えば、現在放送されている最もエキサイティングな番組、又は、ＥＰＧグリッド１５４で現在見ることができる最もエキサイティングな番組を指摘することができるだろう。他の実施形態は、背景のコンテンツに関連した特定のメッセージ（例えば、ブロンコス（Ｂｒｏｎｃｏｓ）がレッドゾーン内にいるとき、「ブロンコスが押しているぞ（ｄｒｉｖｉｎｇ）！」）を提供することができるだろう。
【００５５】
図１の例示的インタフェース１５０においては、受信されたエキサイトデータに基づいて、それらの相対的な当時のエキサイトのレベルを反映するために、様々なライブ放送が、異なる色で影付けされる。チャンネル３が最もエキサイティングであることをエキサイトデータが示す場合、このチャンネルがハイライトされ、影付けされ、又は、他の場合、所望のように、視聴者の注目をひきつけうる。他の番組を示すグリッドエントリは、それらの当時のエキサイトのレベルも示すように、影付けされ、色づけされ、又は、他の場合、ハイライトされうる。様々な実施形態においては、グリッド１５４に於けるハイライトは、（処理、通信などに潜む遅延を考慮して）リアルタイムで更新され、最も興味深い番
組が、番組の間に異なるイベントが発生するとしても、より興味のわかない番組から突出するようにする。影付け又は他のハイライトは、幾つかの実装においては、受信され、又は、生成されたエキサイトデータのみに基づきうる；他の実装は、必要に応じて、ユーザの嗜好を更に考慮に入れ得、グリッドは、視聴者の嗜好（例えば、ひいきの選手が打席に立つ）及び／又は、ライブ放送が進行するにつれてのエキサイトデータに適合するようにする。そのようなユーザの嗜好は、（例えば、視聴者が手動で嗜好を選択するユーザインタフェースを介して）手動で構成され又は、観察された視聴者の振る舞い、人口統計学的情報及び／又は、所望の場合、他の要因に基づいて、自動的に構成されうる。
【００５６】
図１に示される特定のインタフェース１５０は、多くの異なる方法で、改変されうるだろう。ウィンドウ１５２及び／又は１５６は、例えば、消去することができ、及び／又は、グリッド１５４は、任意の他の方法で、組織化され、提示されることができるだろう。更に他の実施形態は、「バグ」又は他のインジケータが視聴者画像上に重畳され、及び／又は、任意の他の方法で、スクリーンの縁に於けるスクローリングバー内に、オーバレイとして、１以上の番組に対するグリッドデータ又は他のエキサイトデータを提示することができるだろう。視聴者が１つの番組を見ているとき、例えば、異なる番組に対するエキサイトレベルが適切な閾値を超えるときはいつも、視聴者の注意を受けるように、オーバレイ又はバグが、生成されることができるだろう。多くの他の等価な実施形態は、任意の数の他のアプリケーション及び設定で構成されることができるだろう。
【００５７】
図１に示される例示的インタフェース１５０は、サーバ１０６から受信したデータに基づいて、メディアクライアント１１０において生成されることができるだろう。これは、例えば、プレイスシフト又は他のメディアストリーミングアプリケーションにおいて用いられることができるだろう。他の実施形態は、所望の場合、ローカルに接続されたテレビ、もしくは他のデバイス上での提示のために、ＤＶＲ１０２、又は、任意の種類のテレビ受信機／ＳＴＢを用いて、追加的に、又は、代替的に、インタフェース１５０を生成することができるだろう。更に他の実施形態は、所望の場合、他の種類のメディアストリーミング、メディア視聴、メディアストレージ、又は、他のアプリケーションに対し、インタフェース１５０を提供しうる。
【００５８】
更に他の実施形態は、ライブ又は以前に記録した放送内のＣＭを特定し、それに応じて、望ましいアクションを取るために、エキサイトデータを用いることができるだろう。幾つかの実装においては、ＣＭは、それ自体のエキサイトレーティングが与えられ、ＣＭ中断を容易に特定可能とすることができるだろう。これは、要望通り、ハイライトリールが、ＣＭを自動的にスキップすること、又は、ＤＶＲが、再生中に、自動的にＣＭをスキップすることを可能とするだろう。他の実施形態においては、ユーザは、ＥＰＧ又は、所望の場合、他のインタフェースに提示されるデータから、特定の番組が、現在ＣＭ中断中であることを単に特定することができるだろう。他の実施形態は、同様に、要望通り、他の利点及び特徴を提供することができるだろう。
【００５９】
エキサイトデータの使用を介してメディア視聴を改善するための例示的プロセスが図２に提示される。図２に注目すると、エキサイトデータに基づいて、デジタルビデオコンテンツを配信し、又は、その他の場合、レンダリングするためのプロセス２００が記述される。プロセス２００は、プロセッサとメモリとを有する任意の種類のコンピューティングマシンによって実行されうる。プロセス２００は、例えば、セットトップボックス、テレビ受信機、ＤＶＲ１０２、メディアクライアント１１０、サーバ１０６及び／又は、所望の場合、他のコンピューティングデバイスによって実行されうる。他の実施形態は、異なるクライアントとサーバシステムとの間で、様々な処理機能を分割することができ、及び／又は、所望の場合、クラウドベース又は他の処理ハードウェアを利用することができるだろう。
【００６０】
様々な実施形態においては、データベース１０４は、例えば、上記したように、任意の様々なソースから、特定の一以上の番組に関するエキサイトデータを受信することができる（機能２０２）。サーバ又は複数のサーバ（例えば、サーバファーム及び／又はガイドサーバ／サーバファーム）は、受信及び／又はリクエストすることができ、データベース１０４からのエキサイトデータに応答して、受信することができる。例えば、（複数の）サーバ１０６は、エキサイトデータデータベースに格納された、又は、これと通信可能なように結合されたアプリケーションプログラミングインタフェース（”ＡＰＩ”）と通信することができる。より具体的には、様々な実施形態において、（複数の）サーバ１０６は、周期的にＡＰＩにクエリを発行し、それに応じて、様々な番組に関連するエキサイトデータを受信することができる。しかし、様々な実施形態においては、（複数の）サーバは、エキサイトデータデータベース１０６にクエリを発行しないこともありうる。むしろ、（複数の）サーバは、例えば、周期的に、及び／又は、例えば、メディア監視サービスによって決定されるような、エキサイティングなイベントに応答して、エキサイトデータを受信することができる。
【００６１】
上記したように、ＤＶＲ、セットトップボックス及び／又は、他の消費者電子システム１０２は、コンテンツプロバイダから、様々な番組に関連した様々なデジタルビデオコンテンツを受信することができる。（例えば、（複数の）サーバ１０６によって格納され、システム１０２へネットワーク１０８を介して通信される）視聴者プロファイルに基づき、ＤＶＲ１０２は、（複数の）サーバ１０６が、視聴者プロファイルと関連付ける任意のデジタルビデオコンテンツ、及び／又は、視聴者が、視聴者プロファイル及び／もしくはリクエストと明示的に関連付けえる任意のデジタルビデオコンテンツを記録することができる（機能２０４）。システム１０２は、番組の開始から、興味深い各番組に関連付けられるデジタルビデオコンテンツを記録することができる。システム１０２は、また、コンテンツの一部についてのエキサイトデータに基づいて、格納されたコンテンツの後の処理又は操作を促進する、受信された番組の特定の部分にエキサイトのレベルを結び付けるタイミング情報と共にエキサイトデータを格納しうる。したがって、システム１０２は、視聴者に興味深い、又は、潜在的に興味深い各番組の完全な記録を有することができる。
【００６２】
幾つかの実装においては、１以上の番組についてエキサイトデータが受信されると（機能２０２）、（複数の）サーバ１０６は、興味深い（又は、潜在的に興味深い）１以上の番組を視聴者と関連付けられる特定のデジタルビデオコンテンツがエキサイティングになったことを示すメッセージ、通知、警告など、を生成することができる。このメッセージは、ネットワーク１０８を介して、（複数の）サーバ１０６によって、視聴者のメディアクライアント１１０へ通信されることができる。他の実施形態においては、ライブ通知は、設けられないことがあるが、システム１０２は、しかし、本明細書で記述するように、エキサイトデータに基づいて、受信された番組を処理しうる。
【００６３】
幾つかの例においては、メディアクライアント１１０は、番組のデジタルメディアコンテンツのエキサイティングな部分を視聴し、及び／又は、エキサイティング部分を後に視聴するために遅延させる選択肢を表示することができる（機能２０６ａ）。同様に、様々な実施形態においては、メディアクライアント１１０は、番組全体のデジタルメディアコンテンツを視聴し、及び／又は、番組全体のデジタルメディアコンテンツを後に視聴するために遅延させることの選択肢を表示することができる（機能２０６ｂ）。ユーザ入力が受信され（機能２０８）、必要に応じて、処理される。処理は、例えば、エキサイティングコンテンツを記録し、エキサイティングコンテンツのメディアストリームを提供、又は、視聴者によって制御されるように、他のアクションを取ることを含みうる。視聴者によって選択されなかったコンテンツは、削除され（機能２１０）、ハイライトリールから消去され、又は、その他の場合は、必要に応じて、処理される。
【００６４】
この結果、ＤＶＲ、ＳＴＢ、又は、テレビ視聴者もしくは他の消費者と関連した他の消費者電子システム／デバイスは、視聴者経験を改善するために、エキサイトデータを用いる自動プロセス２００を実行することができる。エキサイトデータは、これから来る番組のための記録タイマを自動的に生成し；提示、ストリーミング及び／もしくは記録のために１以上の番組を選択し；ハイライトリールもしくはハイライト視聴ストリームにコンパイルするための１以上の番組の最もエキサイティングな部分を特定し；及び／又は、任意の他の目的のために、用いられることができる。上記したように、プロセス２００は、最もエキサイティングなコンテンツを選択するにおいて、視聴者嗜好データを追加的に考慮することができるだろう。例えば、視聴者が、フットボールより野球を好むことが知られているなら、ボーナスの形式でのエキサイト「ブースト」は、野球の試合に関連したエキサイトスコアに追加されることができるだろう。エキサイト「ペナルティ」は、所望の場合、それほど好適ではないコンテンツから追加的又は代替的に減算されることができるだろう。これらの改変されたエキサイトスコアは、したがって、視聴、記録、ストリーミング及び／又は、他の目的のため、番組を選択するために用いられることができるだろう。
【００６５】
更に、図３を一般に参照して示されているように、メディアクライアント１１０は、はじめから最後までの番組タイムラインを（例えば、タイムシフトバッファなどを表すバーとして）表示することができ、番組のエキサイティングな部分をハイライトすることができる。例えば、示されるように、番組は、タイムスパン１（ｔ１）において第１のエキサイティング部分３０４、タイムスパン２（ｔ２）において第２のエキサイティング部分３０６、及び、タイムスパン３（ｔ３）において第３のエキサイティング部分３０８などを備えうる。
【００６６】
したがって、一般的な条件において、番組は、タイムラインに沿って表示されることができ、１以上の視覚キュー又はインジケータは、視聴者に、番組のエキサイティング部分について警告を発するために表示されうる。これらのインジケータは、適した任意のスタイルで表示されうる。これは、最も興味深い、以前に記録された番組の一部をユーザが容易に特定することを可能とするだろう。そのようなインタフェースは、ＤＶＲ１０２によって、メディアクライアント１１０によって、サーバ１０２によって、又は、所望の場合、他のサービスによって、全体的に、又は、部分的に、生成されうる。これは、タイムラインによって表される番組の最もエキサイティングな部分に、視聴者を直接ナビゲートすることを可能とする。幾つかの実装においては、視聴者は、番組のよりエキサイティングな部分を直ぐに視聴するために、それらの部分に直接ナビゲートするために、ハイライトされた部分（例えば、部分３０４，３０６，３０８）を選択することを可能としうる。他の実施形態は、従来のタイムシフトバッファと似ているが、視聴者による、容易な特定のためにハイライトされた、よりエキサイティングな部分を有し、早送り／巻き戻し型キーを用いて、タイムラインを介して、視聴者が、ナビゲートすることを単純に可能とすることができるだろう。
【００６７】
上記したように、視覚キューは、「ヒートマップ」のスタイルで、ＥＰＧ又は同様な表示に、表示されることができる。つまり、例えば、番組のエキサイティングな部分は、エキサイトレーティング又は値を含むことができ、視聴者は、番組のエキサイトレベル又は値について追加の情報が提供されるようにする。
【００６８】
この（データベース１０４からのデータに基づく）エキサイトレーティング又は値は、色、印字、印字サイズ、点滅又はパルスの種類に従って、背景の影付けもしくはハッチング、及び／又は、視聴者の注意を最もエキサイティングな番組に引き付ける任意の他のインタフェース機構によって、表現されることができる。様々な実施形態においては、エキサイティングな部分は、任意の様々なエキサイトレベルに関連付けられることができ、これらは、様々な色（例えば、それほどエキサイティングでない場合に緑、いくらかエキサイティングな場合に黄色、エキサイティングな場合に赤など）に関連付けられるなど、任意の適切な方法で、表示されることができる。エキサイトレベル又は値は、本明細書で記述されたように、受信されたエキサイトデータ及び／又は、視聴者プロファイルに基づくことができる。したがって、第１の視聴者は、番組についての第１のエキサイトタイムライン及び／又は通知を受信し得、一方、第２の視聴者は、番組についての異なるエキサイトタイムライン及び／又は通知を受信し得、夫々は、各視聴者の個人プロファイルに依存する。したがって、視聴者は、視聴者のプロファイルに基づいて、目的のもしくはカスタム化された番組コンテンツ及び／又はエキサイト通知を受信し得る。言い方を変えると、視聴者に最も興味深いコンテンツは、サーバ１０６から受信されるユーザ嗜好データ及びエキサイトデータの比較に基づいて、ハイライトされることができる。
【００６９】
例示的プレイスシフト実装においては、例えば、ユーザは、ネットワーク１０８上のサーバ１０６と相互作用するデバイス１１０上のメディアクライアントアプリケーションを操作する。サーバ１０６は、好適には、ＥＰＧデータを配信し、及び／又は、本明細書で記述したように、デバイス１１０上で画像の生成を可能とするインタフェースとして作用する。幾つかの実施形態においては、画像は、ユーザが、最も興味深い番組を選択することを支援する、利用可能な番組についての「ヒートマップ」又は他のデータを含むことができるだろう。再び、例示的インタフェース１５０が図１に示されているが、他の実施形態は、所望の場合、異なるインタフェースを生成することができるだろう。「ヒートマップ」型のインタフェースは、メディアクライアント１１０（例えば、プレイスシフト、ＩＰＴＶ、ＶＯＤ、又は、他のメディアアプリケーションの一部として）上の提示のために生成されることができるだろう。等価な実施形態は、ローカルに接続されたテレビ上などのインタフェース１５０などのインターフェイスを生成するために、テレビ受信機、ＳＴＢ、ＤＶＲ、又は他の家庭用デバイスで実装されることができるだろう。
【００７０】
更なる実施形態は、上記したように、タイムシフトバッファインジケータの一部として、記録された番組内にエキサイトデータを、代替的、又は、追加的に提示することができるだろう。そのような実施形態においては、それぞれが、任意の様々なエキサイトレベルに関連付けられることができるような、部分３０４、３０６、及び／又は３０８などの番組の一部を、視聴者は、（例えば、視聴者のメディアクライアント１１０が、タッチスクリーンディスプレイを含む場合）タップ、又は、選択することができる。そのような選択に応答して、メディアクライアント１１０は、メディアストリーム内で、選択された番組部分へ、スキップすることができる。したがって、視聴者は、任意の様々な区別されたエキサイティングな部分３０４、３０６、３１０などを視聴することができる。
【００７１】
更に、様々な実施形態において、視聴者は、番組のデジタルメディアコンテンツのエキサイティングな部分を視聴し、及び／又は、エキサイティングな部分を後に視聴するために遅延し、及び／又は、番組のデジタルメディアコンテンツの全体を視聴し、及び／又は、番組の全デジタルメディアコンテンツを後に視聴するために遅延する選択肢を選択することができる（機能２０８）。ＤＶＲ１０２は、視聴者の選択に応答して、視聴のために選択されたデジタルメディアコンテンツを格納し、及び／又は、視聴者のメディアクライアント１１０へ、選択されたコンテンツをストリームすることができる。ＤＶＲ１０２は、更に、（例えば、視聴者の命令なしに）背景の任意の選択されていないデジタルメディアコンテンツを削除でき、視聴者は、不必要なコンテンツを削除する必要によって邪魔されないようにする（機能２１０）。
【００７２】
幾つかの実施形態において、システム１００は、エキサイティングな部分の開始から番組のエキサイティングな部分を捕捉することができる。一方、システム１００は、番組に関連したデジタルメディアコンテンツの記録を開始するために、エキサイトデータの通知を待たなくてはならなかったとしたら、通知の受信と、記録の開始との間の遅延が発生するまで、記録を開始できないであろうから、システムは、追い詰められ、又は、単に、エキサイティングな部分の全体を捕捉できないであろう。
【００７３】
語句「例示的」及び「例」は、任意の数の別形態を有しうる一例、インスタンス、又は、図示を表すためにここでは用いられている。例示的として本明細書で記述された任意の実装は、他の実装に対して、好適又は利点があるとして、必ずしも解釈される必要はない。前述の詳細な記述においては、幾つかの例示的実施形態が提示されたが、非常に多くの代替であるが等価な変形例が存在し、本明細書で提示した例は、いかなる場合においても、本発明の範囲、適用性、又は、構成を限定することは意図していないことは理解されるべきである。むしろ、請求項とその法的均等物の範囲から逸脱することなく、記述された要素の機能及び配置に対して、様々な変形がなされ得る。
【符号の説明】
【００７４】
１００  システム
１０２  デジタルビデオレコーダ（ＤＶＲ）
１０４  エキサイトデータデータベース
１０６  サーバ（ガイドサーバ）
１０８  ネットワーク
１１０  メディアクライアント
１５０  ユーザインタフェース（ＥＰＧ表示）
１５２  セパレートウィンドウ
１５４  ＥＰＧグリッド
１５６  告示ウィンドウ
３０４、３０６、３１０  エキサイティングな部分
【図１】
2019195192.tif 000002
【図２】
2019195192.tif 000003
【図３】
2019195192.tif 000004